(57)【要約】【課題】より確実にアクセス時間を均一とすることができるディスク記録装置及びプログラムを提供する。【解決手段】ディスク記録装置１００に、ＣＰＵ１２に、データ記憶領域が同心円状に複数の環状の物理ゾーンに分割されたディスクの物理ゾーンに対応して複数の論理ゾーンを形成するとともに、各論理ゾーンを複数分割して論理セグメントを形成することにより論理フォーマット処理させる論理フォーマットプログラム１４Ｂと、論理フォーマット処理されたディスクにデータを記録する磁気ヘッド１，ヘッド駆動部２，エンコーダ３を制御して、一の論理ゾーン内の一の論理セグメントのデータ格納領域へのデータの記憶が終了した場合に、ディスクの径方向に隣り合う他の一の論理ゾーン内であって位置の論理セグメントと隣り合う他の一の論理セグメントのデータ格納領域にデータを記憶させる記録制御プログラム１４Ｄと、を備えた。【選択図】図２
2008090951.tif 000002
【特許請求の範囲】
【請求項１】
円盤状に形成されて回転支持される記録媒体であるディスクに対してデータを記録するディスク記録装置において、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う論理フォーマット手段と、
前記論理フォーマット手段によって論理フォーマット処理された前記ディスクにデータを記録するデータ記録手段と、
前記データ記録手段を制御して、一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる記録制御手段と、
を備え、
前記記録制御手段は、
前記データ記録手段により記録が行われている論理ゾーンである第１記録ゾーンが当該ディスクの最外周の論理ゾーンか否かを判断し、前記第１記録ゾーンが当該ディスクの最外周の論理ゾーンではないと判断した場合に、前記第１記録ゾーンの記録方向は、外周側から内周側に向かう方向であるか否かを判断し、前記第１記録ゾーンが最外周の論理ゾーンであると判断した場合、及び、前記第１記録ゾーンの記録方向が外周側から内周側に向かう方向であると判断した場合に、次にデータが記録される論理ゾーンである第２記録ゾーンを前記第１記録ゾーンより１つ内周側の論理ゾーンと判断し、前記第１記録ゾーンの記録方向が内周側から外周側に向かう方向であると判断した場合に、前記第２記録ゾーンを前記第１記録ゾーンの１つ外周側の論理ゾーンと判断し、前記データ記録手段に、第１記録ゾーン内の一の論理セグメントにデータを記録した後、第２記録ゾーン内の一の論理セグメントにデータを記録させるように制御し、
前記論理フォーマット手段は、
前記ディスクの最外周の論理ゾーン内の論理セグメント数及び最内周の論理ゾーン内の論理セグメント数が、前記最外周の論理ゾーンより内周側の論理ゾーン内の論理セグメント数及び前記最内周の論理ゾーンより外周側の論理ゾーン内の論理セグメント数の半数となるように、論理フォーマット処理を行うことを特徴とするディスク記録装置。
【請求項２】
円盤状に形成されて回転支持される記録媒体であるディスクに対してデータを記録するディスク記録装置において、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う論理フォーマット手段と、
前記論理フォーマット手段によって論理フォーマット処理された前記ディスクにデータを記録するデータ記録手段と、
前記データ記録手段を制御して、一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる記録制御手段と、
を備えることを特徴とするディスク記録装置。
【請求項３】
前記記録制御手段は、
前記データ記録手段により記録が行われている論理ゾーンである第１記録ゾーンが当該ディスクの最外周の論理ゾーンか否かを判断し、前記第１記録ゾーンが当該ディスクの最外周の論理ゾーンではないと判断した場合に、前記第１記録ゾーンの記録方向は、外周側から内周側に向かう方向であるか否かを判断し、前記第１記録ゾーンが最外周の論理ゾーンであると判断した場合、及び、前記第１記録ゾーンの記録方向が外周側から内周側に向かう方向であると判断した場合に、次にデータが記録される論理ゾーンである第２記録ゾーンを前記第１記録ゾーンより１つ内周側の論理ゾーンと判断し、前記第１記録ゾーンの記録方向が内周側から外周側に向かう方向であると判断した場合に、前記第２記録ゾーンを前記第１記録ゾーンの１つ外周側の論理ゾーンと判断し、前記データ記録手段に、第１記録ゾーン内の一の論理セグメントにデータを記録した後、第２記録ゾーン内の一の論理セグメントにデータを記録させるように制御することを特徴とする請求項２に記載のディスク記録装置。
【請求項４】
前記論理フォーマット手段は、
前記ディスクの最外周の論理ゾーン内の論理セグメント数及び最内周の論理ゾーン内の論理セグメント数が、前記最外周の論理ゾーンより内周側の論理ゾーン内の論理セグメント数及び前記最内周の論理ゾーンより外周側の論理ゾーン内の論理セグメント数の半数となるように、論理フォーマット処理を行うことを特徴とする請求項２又は３に記載のディスク記録装置。
【請求項５】
円盤状に形成されて回転支持される記録媒体であるディスクに対してデータを記録するコンピュータに、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う機能と、
前記ディスクにデータを記憶する記憶手段を制御して、前記論理フォーマット処理された前記ディスクの一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる機能と、
を実現させるためのプログラム。
【発明の詳細な説明】
【技術分野】
【０００１】
本発明は、ディスク記録装置及びプログラムに関する。
【背景技術】
【０００２】
従来、音楽、映像などの情報をデジタル化して光学的に記録・再生を行う光磁気ディスクが知られている。通常、当該ディスクの記憶領域は、同心円状に複数の環状のゾーンに分割されており、データは、当該ディスクの外周側若しくは内周側のゾーンから内周側若しくは外周側のゾーンに向かって記憶されるようになっている。そのため、例えば、ディスクの外周側のゾーンに記憶されたデータを再生しながら、当該ディスクの内周側のゾーンに新しくデータを記録する場合、内周側のゾーンの方が外周側のゾーンに比べてデータ転送速度が遅いため、内周側のゾーンのほうが外周側のゾーンに比べてアクセス時間が遅くなり、データの記憶ミス等が生じてしまう。そこで、当該ディスクの記録領域を同心円状に複数の環状のゾーンに分割し、データ転送速度が高い外周側のゾーン内のトラックと、データ転送速度が低い内周側のゾーン内のトラックとをペアにしてトラックペアとし、当該トラックペア毎に情報を記録・再生を行うことにより、記録されるコンテンツを当該ディスクの内周側から外周側に亘って分散して記録・再生できるようにして、各コンテンツに対するアクセス時間を均一にすることができるディスク記録装置が知られている（例えば、特許文献１）。
また、外周側のゾーンから内周側のゾーンへとゾーン単位で情報を記録することにより、データ転送速度が高い外周側のゾーンを確実に使用することができるディスク記録装置が知られている（例えば、特許文献２）。
また、各ゾーンに記録再生用のクロックを割り当て、当該クロックに基づいて情報の記録・再生を行うことにより、安定に情報を記録・再生するディスク記録再生装置も知られている（例えば、特許文献３）。
【特許文献１】特開平１０−０４９９９６号公報
【特許文献２】特開平１０−１４４００５号公報
【特許文献３】特開２００４−２２７７６８号公報
【発明の開示】
【発明が解決しようとする課題】
【０００３】
しかしながら、特許文献１では、１つのトラックペアのデータにアクセスする度に、磁気ヘッドが外周側のトラックから内周側のトラックに移動しなくてはならないため、磁気ヘッドが外周側のトラックから内周側のトラックに移動する際にタイムラグが発生してしまい、データへのアクセスにおける時間連続性が損なわれてしまう。また、物理フォーマットにおけるゾーン毎の記憶容量の大きさは、各光磁気ディスクのメーカ等により異なってくるため、当該ディスクに記憶させるコンテンツのデータ量に対して各各ゾーンの記憶容量が大きすぎる場合には、当該コンテンツを当該ディスクの内周側から外周側に亘って十分に分散させて記録させることができないこととなり、アクセス時間を十分に均一にすることができない。特許文献２又は３の発明では、コンテンツを物理フォーマットにおけるゾーン毎に記録させるものであり、アクセス時間を十分に均一にすることができないという問題を解決することができない。
【０００４】
本発明の課題は、より確実にアクセス時間を均一とすることができるディスク記録装置及びプログラムを提供することである。
【課題を解決するための手段】
【０００５】
請求項１に記載の発明は、円盤状に形成されて回転支持される記録媒体であるディスクに対してデータを記録するディスク記録装置において、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う論理フォーマット手段と、
前記論理フォーマット手段によって論理フォーマット処理された前記ディスクにデータを記録するデータ記録手段と、
前記データ記録手段を制御して、一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる記録制御手段と、
を備え、
前記記録制御手段は、
前記データ記録手段により記録が行われている論理ゾーンである第１記録ゾーンが当該ディスクの最外周の論理ゾーンか否かを判断し、前記第１記録ゾーンが当該ディスクの最外周の論理ゾーンではないと判断した場合に、前記第１記録ゾーンの記録方向は、外周側から内周側に向かう方向であるか否かを判断し、前記第１記録ゾーンが最外周の論理ゾーンであると判断した場合、及び、前記第１記録ゾーンの記録方向が外周側から内周側に向かう方向であると判断した場合に、次にデータが記録される論理ゾーンである第２記録ゾーンを前記第１記録ゾーンより１つ内周側の論理ゾーンと判断し、前記第１記録ゾーンの記録方向が内周側から外周側に向かう方向であると判断した場合に、前記第２記録ゾーンを前記第１記録ゾーンの１つ外周側の論理ゾーンと判断し、前記データ記録手段に、第１記録ゾーン内の一の論理セグメントにデータを記録した後、第２記録ゾーン内の一の論理セグメントにデータを記録させるように制御し、
前記論理フォーマット手段は、
前記ディスクの最外周の論理ゾーン内の論理セグメント数及び最内周の論理ゾーン内の論理セグメント数が、前記最外周の論理ゾーンより内周側の論理ゾーン内の論理セグメント数及び前記最内周の論理ゾーンより外周側の論理ゾーン内の論理セグメント数の半数となるように、論理フォーマット処理を行うことを特徴としている。
【０００６】
請求項２に記載の発明は、円盤状に形成されて回転支持される記録媒体であるディスクに対してデータを記録するディスク記録装置において、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う論理フォーマット手段と、
前記論理フォーマット手段によって論理フォーマット処理された前記ディスクにデータを記録するデータ記録手段と、
前記データ記録手段を制御して、一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる記録制御手段と、
を備えることを特徴としている。
【０００７】
請求項３に記載の発明は、請求項２に記載のコンテンツ送受信システムにおいて、
前記記録制御手段は、
前記データ記録手段により記録が行われている論理ゾーンである第１記録ゾーンが当該ディスクの最外周の論理ゾーンか否かを判断し、前記第１記録ゾーンが当該ディスクの最外周の論理ゾーンではないと判断した場合に、前記第１記録ゾーンの記録方向は、外周側から内周側に向かう方向であるか否かを判断し、前記第１記録ゾーンが最外周の論理ゾーンであると判断した場合、及び、前記第１記録ゾーンの記録方向が外周側から内周側に向かう方向であると判断した場合に、次にデータが記録される論理ゾーンである第２記録ゾーンを前記第１記録ゾーンより１つ内周側の論理ゾーンと判断し、前記第１記録ゾーンの記録方向が内周側から外周側に向かう方向であると判断した場合に、前記第２記録ゾーンを前記第１記録ゾーンの１つ外周側の論理ゾーンと判断し、前記データ記録手段に、第１記録ゾーン内の一の論理セグメントにデータを記録した後、第２記録ゾーン内の一の論理セグメントにデータを記録させるように制御することを特徴としている。
【０００８】
請求項４に記載の発明は、請求項２又は３に記載のコンテンツ送受信システムにおいて、
前記論理フォーマット手段は、
前記ディスクの最外周の論理ゾーン内の論理セグメント数及び最内周の論理ゾーン内の論理セグメント数が、前記最外周の論理ゾーンより内周側の論理ゾーン内の論理セグメント数及び前記最内周の論理ゾーンより外周側の論理ゾーン内の論理セグメント数の半数となるように、論理フォーマット処理を行うことを特徴としている。
【０００９】
請求項５に記載の発明は、円盤状に形成されて回転支持される記録媒体であるディスクに対してデータを記録するコンピュータに、
データ記憶領域が同心円状に複数の環状の物理ゾーンに分割された前記ディスクの前記物理ゾーンに対応して複数の論理ゾーンを形成するとともに、各論理ゾーンを複数分割して論理セグメントを形成することにより論理フォーマット処理を行う機能と、
前記ディスクにデータを記憶する記憶手段を制御して、前記論理フォーマット処理された前記ディスクの一の論理ゾーン内の一の論理セグメントのデータ格納領域へのデータの記憶が終了した場合に、前記ディスクの径方向に隣り合う他の一の論理ゾーン内であって前記一の論理セグメントと隣り合う他の一の論理セグメントのデータ格納領域にデータを記憶させる機能と、
を実現させるためのプログラムであることを特徴としている。
【発明の効果】
【００１０】
請求項１に記載の発明によれば、論理フォーマット手段により、物理フォーマット処理された物理ゾーンに対応して複数の論理ゾーンを形成するとともに、各論理ゾーンを複数分割して論理セグメントを形成することにより論理フォーマット処理が行われ、データ記録手段により、論理フォーマット手段によって論理フォーマット処理されたディスクにデータが記録され、記録制御手段により、データ記録手段が制御されて、一の論理ゾーン内の一の論理セグメントのデータ格納領域へのデータの記憶が終了した場合に、ディスクの径方向に隣り合う他の一の論理ゾーン内であって一の論理セグメントと隣り合う他の一の論理セグメントのデータ格納領域にデータが記憶されるので、データがディスクの径方向に１論理ゾーン当たり１論理セグメントずつ記憶されることとなって、データを当該ディスクの外周側から内周側に亘ってより十分に分散させることができることとなって、当該ディスクに記録されたデータのアクセス時間をより確実に均一とすることができる。
また、データがディスクの径方向に連続して記憶されるので、磁気ヘッドは当該径方向に連続して移動すれば当該データにアクセスすることができ、データへのアクセスにおける時間連続性が損なわれることがない。
【００１１】
また、記録制御手段により、データ記録手段によって記録が行われている論理ゾーンである第１記録ゾーンが当該ディスクの最外周の論理ゾーンか否かが判断され、第１記録ゾーンが当該ディスクの最外周の論理ゾーンではないと判断された場合に、第１記録ゾーンの記録方向は、外周側から内周側に向かう方向であるか否かが判断され、第１記録ゾーンが最外周の論理ゾーンであると判断された場合、及び、第１記録ゾーンの記録方向が外周側から内周側に向かう方向であると判断された場合に、次にデータが記録される論理ゾーンである第２記録ゾーンが第１記録ゾーンより１つ内周側の論理ゾーンと判断され、第１記録ゾーンの記録方向が内周側から外周側に向かう方向であると判断された場合に、第２記録ゾーンが第１記録ゾーンの１つ外周側の論理ゾーンと判断され、データ記録手段に、第１記録ゾーン内の一の論理セグメントにデータを記録した後、第２記録ゾーン内の一の論理セグメントにデータを記録させるように制御されるので、ディスクのどの論理ゾーンからデータの記録が開始されることとなっても、データが径方向に１論理ゾーンあたり１論理セグメントずつ記憶されることとなって、当該ディスクに記録されるデータのアクセス時間がより確実に均一となるようにデータを記録することができる。
【００１２】
また、論理フォーマット手段により、ディスクの最外周の論理ゾーン内の論理セグメント数及び最内周の論理ゾーン内の論理セグメント数が、最外周の論理ゾーンより内周側の論理ゾーン内の論理セグメント数及び最内周の論理ゾーンより外周側の論理ゾーン内の論理セグメント数の半数となるように、論理フォーマット処理が行われるので、ディスクの最内周側の論理ゾーン内又は最外周側の論理ゾーン内の一の論理セグメントにデータが記憶された後に、当該最内周側の論理ゾーンの１つ外周側の論理ゾーン内又は当該最外周側の論理ゾーンの１つ内周側の論理ゾーン内の一の論理セグメントにデータが記憶されるようにして、当該最内周側又は最外周側の論理ゾーンにおいて記録方向が折り返されても、例えば、論理ゾーン内の論理セグメントの数を同一とした場合のように最内周側及び最外周側の論理ゾーン内においてデータが記憶されていない論理セグメントが残ってしまうことがなくなることとなって、より効率的にデータを記録することができる。
【００１３】
請求項２に記載の発明によれば、論理フォーマット手段により、物理フォーマット処理された物理ゾーンに対応して複数の論理ゾーンを形成するとともに、各論理ゾーンを複数分割して論理セグメントを形成することにより論理フォーマット処理が行われ、データ記録手段により、論理フォーマット手段によって論理フォーマット処理されたディスクにデータが記録され、記録制御手段により、データ記録手段が制御されて、一の論理ゾーン内の一の論理セグメントのデータ格納領域へのデータの記憶が終了した場合に、ディスクの径方向に隣り合う他の一の論理ゾーン内であって一の論理セグメントと隣り合う他の一の論理セグメントのデータ格納領域にデータが記憶されるので、データがディスクの径方向に１論理ゾーン当たり１論理セグメントずつ記憶されることとなって、データを当該ディスクの外周側から内周側に亘ってより十分に分散させることができることとなって、当該ディスクに記録されたデータのアクセス時間をより確実に均一とすることができる。
また、データがディスクの径方向に連続して記憶されるので、磁気ヘッドは当該径方向に連続して移動すれば当該データにアクセスすることができ、データへのアクセスにおける時間連続性が損なわれることがない。
【００１４】
請求項３に記載の発明によれば、請求項２に記載の発明と同様の効果が得られることは勿論のこと、特に、記録制御手段により、データ記録手段によって記録が行われている論理ゾーンである第１記録ゾーンが当該ディスクの最外周の論理ゾーンか否かが判断され、第１記録ゾーンが当該ディスクの最外周の論理ゾーンではないと判断された場合に、第１記録ゾーンの記録方向は、外周側から内周側に向かう方向であるか否かが判断され、第１記録ゾーンが最外周の論理ゾーンであると判断された場合、及び、第１記録ゾーンの記録方向が外周側から内周側に向かう方向であると判断された場合に、次にデータが記録される論理ゾーンである第２記録ゾーンが第１記録ゾーンより１つ内周側の論理ゾーンと判断され、第１記録ゾーンの記録方向が内周側から外周側に向かう方向であると判断された場合に、第２記録ゾーンが第１記録ゾーンの１つ外周側の論理ゾーンと判断され、データ記録手段に、第１記録ゾーン内の一の論理セグメントにデータを記録した後、第２記録ゾーン内の一の論理セグメントにデータを記録させるように制御されるので、ディスクのどの論理ゾーンからデータの記録が開始されることとなっても、データが径方向に１論理ゾーンあたり１論理セグメントずつ記憶されることとなって、当該ディスクに記録されるデータのアクセス時間がより確実に均一となるようにデータを記録することができる。
【００１５】
請求項４に記載の発明によれば、請求項２又は３に記載の発明と同様の効果が得られることは勿論のこと、特に、論理フォーマット手段により、ディスクの最外周の論理ゾーン内の論理セグメント数及び最内周の論理ゾーン内の論理セグメント数が、最外周の論理ゾーンより内周側の論理ゾーン内の論理セグメント数及び最内周の論理ゾーンより外周側の論理ゾーン内の論理セグメント数の半数となるように、論理フォーマット処理が行われるので、ディスクの最内周側の論理ゾーン内又は最外周側の論理ゾーン内の一の論理セグメントにデータが記憶された後に、当該最内周側の論理ゾーンの１つ外周側の論理ゾーン内又は当該最外周側の論理ゾーンの１つ内周側の論理ゾーン内の一の論理セグメントにデータが記憶されるようにして、当該最内周側又は最外周側の論理ゾーンにおいて記録方向が折り返されても、例えば、論理ゾーン内の論理セグメントの数を同一とした場合のように最内周側及び最外周側の論理ゾーン内においてデータが記憶されていない論理セグメントが残ってしまうことがなくなることとなって、より効率的にデータを記録することができる。
【００１６】
請求項５に記載の発明によれば、円盤状に形成されて回転支持される記録媒体であるディスクに対してデータを記録するコンピュータに、データ記憶領域が同心円状に複数の環状の物理ゾーンに分割されたディスクの物理ゾーンに対応して複数の論理ゾーンを形成するとともに、各論理ゾーンを複数分割して論理セグメントを形成することにより論理フォーマット処理を行う機能と、ディスクにデータを記憶する記憶手段を制御して、論理フォーマット処理されたディスクの一の論理ゾーン内の一の論理セグメントのデータ格納領域へのデータの記憶が終了した場合に、ディスクの径方向に隣り合う他の一の論理ゾーン内であって一の論理セグメントと隣り合う他の一の論理セグメントのデータ格納領域にデータを記憶させる機能と、を実現させるので、データがディスクの径方向に１論理ゾーン当たり１論理セグメントずつ記憶されることとなって、データを当該ディスクの外周側から内周側に亘ってより十分に分散させることができることとなって、当該ディスクに記録されたデータのアクセス時間をより確実に均一とすることができる。
また、データがディスクの径方向に連続して記憶されるので、磁気ヘッドは当該径方向に連続して移動すれば当該データにアクセスすることができ、データへのアクセスにおける時間連続性が損なわれることがない。
【発明を実施するための最良の形態】
【００１７】
以下、図を参照して、本発明に係るディスク記録装置を実施するための最良の形態を詳細に説明する。
【００１８】
まず、本発明に係るディスク記録装置１００は、例えば、図１及び図２に示すように、磁気ヘッド１，ヘッド駆動部２，エンコーダ３，信号増幅部４，モータ５，サーボ回路６，信号処理部７，トラックバッファ８，システムデコーダ９，操作部１０，システムマイコン１１等を備えて構成されている。
なお、本発明にかかるディスクｄは、円盤状に形成されており、ディスク記録装置１００の後述するターンテーブルに回転支持されるようになっている。
【００１９】
磁気ヘッド１は、例えば、薄膜ヘッド，ＭＲヘッド，ＧＭＲヘッド，ＴＭＲヘッド等を備えて構成されている。そして、磁気ヘッド１は、ディスクｄの表面に塗布された磁性体の磁化状態を電気的に変化させることにより、ディスクｄへのデータの記録や消去を行う。また、磁気ヘッド１は、ディスクｄの表面の磁性体の磁化状態を電気信号（読取信号）に変換し、当該読取信号を信号増幅部４に出力する。なお、磁気ヘッド１は、ディスクｄからの対象のデータを適宜読み出すことができるように、所定のガイド軸等により、ディスクｄの径方向に移動自在に支持されている。
【００２０】
ヘッド駆動部２は、例えば、システムマイコン１１から入力される制御信号に従って、磁気ヘッド１を駆動する。より具体的には、ヘッド駆動部２は、システムマイコン１１から入力される読取制御信号に従って、磁気ヘッド１を駆動して、ディスクｄからデータを読み取らせる。また、ヘッド駆動部２は、システムマイコン１１から入力される書込制御信号に従って、磁気ヘッド１を駆動して、ディスクｄに映像音声データを書き込ませる。これにより、ヘッド駆動部２は、磁気ヘッド１とともに、データ記録手段として機能する。
【００２１】
エンコーダ３は、ディスクｄに記憶させる映像音声データに所定の符号化処理を行って、システムマイコン１へ出力する。
【００２２】
信号増幅部４は、例えば、磁気ヘッド１から出力された読取信号から、再生信号，トラッキング信号，フォーカス信号等を生成する。そして、信号増幅部４は、生成したトラッキング信号をサーボ回路６に出力し、また、生成した再生信号を信号処理部７に出力する。
【００２３】
モータ５は、例えば、ディスクｄを搭載する所定のターンテーブルを回転させるためのスピンドルモータ（図示省略）等を備えて構成される。モータ５は、例えば、サーボ回路６により制御され、ディスクｄを例えば線速度が一定となるように回転運動させる。
【００２４】
サーボ回路６は、例えば、モータ５を駆動制御し、所定の回転速度で回転運動させる。また、サーボ回路６は、信号増幅部４から出力されるトラッキング信号等により、ボイスコイルモータ（図示省略）を駆動制御し、磁気ヘッド１をディスクｄの径方向に適宜移動させる。
【００２５】
信号処理部７は、例えば、信号増幅部４から出力される再生信号を復調するとともに、誤り訂正処理等を施す。信号処理部７は、この復調等により得られた復調データをトラックバッファ８に順次出力する。
【００２６】
トラックバッファ８は、例えば、所定容量のＲＡＭ（Random  Access  Memory）（図示省略）等を備えて構成され、信号処理部７から出力された復調データを順次記憶する。なお、トラックバッファ８に記憶された復調データは、システムデコーダ９に逐次出力される。
【００２７】
システムデコーダ９は、例えば、トラックバッファ８から出力された復調データをデコードして、映像データ及び音声データ等を生成する。システムデコーダ９は、生成した映像データ及び音声データ等を所定のＡＶアンプ（図示省略）等に出力する。
【００２８】
操作部１０は、例えば、リモコン（図示省略）又はディスク記録装置１００本体に設けられた各種操作キー等を備えて構成される。
【００２９】
システムマイコン１１は、例えば、図２に示すように、ＣＰＵ（Central  Processing  Unit）１２，ＲＡＭ１３，記憶部１４等を備えて構成されている。
【００３０】
ＣＰＵ１２は、記憶部１４に格納された処理プログラム等を読み出して、ＲＡＭ１３に展開して実行することにより、ディスク記録装置１００全体の制御を行う。
【００３１】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３２】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がディスク記録装置１００全体を制御する機能を実現させるための各種データ，各種処理プログラム，これらプログラムの実行により処理されたデータ等を記憶する。より具体的には、記憶部１４は、例えば、図２に示すように、物理フォーマットプログラム１４Ａ，論理フォーマットプログラム１４Ｂ，記録開始制御プログラム１４Ｃ，記録制御プログラム１４Ｄ，再生制御プログラム１４Ｅ等を格納している。
【００３３】
物理フォーマットプログラム１４Ａは、例えば、図３に示すように、ＣＰＵ１２に、ディスクｄのデータ記憶領域を同心円状に複数の環状の物理ゾーンＺ１に分割することにより物理フォーマット処理を行う機能を実現させるプログラムである。ＣＰＵ１２は、かかる物理フォーマットプログラム１４Ａを実行する。
【００３４】
論理フォーマットプログラム１４Ｂは、例えば、図４に示すように、ＣＰＵ１２に、物理フォーマットプログラム１４Ａを実行することにより形成した物理ゾーンＺ１に対応して、複数の論理ゾーンＺ２を形成するとともに、当該論理ゾーンＺ２を複数分割して論理セグメントＳを形成し、各論理セグメントＳにセグメント番号を振ることにより論理フォーマット処理を行う機能を実現させるプログラムである。
より具体的には、論理フォーマットプログラム１４Ｂは、例えば、ＣＰＵ１２に、図４に示すように、物理ゾーンＺ１に対して複数の論理ゾーンＺ２を形成し、最外周側の論理ゾーンＺ２と最内周側の論理ゾーンＺ２の論理セグメント数が最外周側の論理ゾーンＺ２より内周側及び最内周側の論理ゾーンＺ２より外周側の論理ゾーンＺ２の論理セグメント数の半分となるように、論理ゾーンＺ２を複数分割して論理セグメントＳを形成し、当該各論理ゾーンＺ２内の各論理セグメントＳにセグメント番号を振る機能を実現させるプログラムである。例えば、図５（ａ）に示すように、最外周側から最内周側まで計５個の論理ゾーンＺ２が形成され、最外周側の論理ゾーンＺ２及び最内周側の論理ゾーンＺ２に各々４つの論理セグメントＳが形成され、最外周側の論理ゾーンＺ２より内周側及び最内周側の論理ゾーンＺ２より外周側の論理ゾーンＺ２に各々８つの論理セグメントＳが形成される場合、セグメント番号は、例えば、図５（ｂ）に示すように、最外周側の論理ゾーンＺ２の左側から右側に向かって１Ａ，２Ａ，３Ａ，４Ａ、最外周側より１つ内周側の論理ゾーンＺ２の左側から右側に向かって１Ｂ，２Ｂ，・・・，８Ｂ、最外周側より２つ内周側の論理ゾーンＺ２の左側から右側に向かって１Ｃ，２Ｃ，・・・，８Ｃ、最内周側より１つ外周側の論理ゾーンＺ２の左側から右側に向かって１Ｄ，２Ｄ，・・・，８Ｄ、最内周側の論理ゾーンＺ２の左側から右側に向かって１Ｅ，２Ｅ，３Ｅ，４Ｅと振られる。
上述の様に、最外周側の論理ゾーンＺ２と最内周側の論理ゾーンＺ２の論理セグメント数が最外周側の論理ゾーンＺ２より内周側及び最内周側の論理ゾーンＺ２より外周側の論理ゾーンＺ２の論理セグメント数の半分となるように論理フォーマット処理すると、ディスクｄの最内周側の論理ゾーンＺ２内又は最外周側の論理ゾーンＺ２内の一の論理セグメントＳにデータが記憶された後に、当該最内周側の論理ゾーンＺ２の１つ外周側の論理ゾーンＺ２内又は当該最外周側の論理ゾーンＺ２の１つ内周側の論理ゾーンＺ２内の一の論理セグメントＳにデータが記憶されるようにして、当該最内周側又は最外周側の論理ゾーンＺ２において記録方向が折り返されても、例えば、論理ゾーンＺ２内の論理セグメントＳの数を同一とした場合のように最内周側及び最外周側の論理ゾーンＺ２内においてデータが記憶されていない論理セグメントＳが残ってしまうことがなくなる。
なお、最外周側の論理ゾーンＺ２と最内周側の論理ゾーンＺ２の論理セグメント数が同じとなるので、最外周側の論理ゾーンＺ２内の１つの論理セグメントＳ当たりのデータ量は、最内周側の論理ゾーンＺ２内の１つの論理セグメントＳ当たりのデータ量に比べて多くなる。また、最外周側の論理ゾーンＺ２及び最内周側の論理ゾーンＺ２以外の論理ゾーンＺ２の論理セグメント数は同じとなるので、当該論理ゾーンＺ２内の１つの論理セグメントＳ当たりのデータ量は、外周側ほど多くなる。
ＣＰＵ１２は、かかる論理フォーマットプログラム１４Ｂを実行することにより、論理フォーマット手段として機能する。
【００３５】
記録開始制御プログラム１４Ｃは、例えば、ＣＰＵ１２に、所定の論理ゾーンＺ２を記録開始ゾーンとし、磁気ヘッド１，ヘッド駆動部２，エンコーダ３を制御して当該記録開始ゾーンからデータの記録を開始させる機能を実現させるプログラムである。
より具体的には、記録開始制御プログラム１４Ｃは、例えば、ＣＰＵ１２に、ディスクｄに記録データが記録されているか否かを判断し、ディスクｄに記録データが記録されていると判断した場合に、記録データが終了する論理ゾーンＺ２である終了ゾーンが最外周の論理ゾーンＺ２か否かを判断し、終了ゾーンが最外周の論理ゾーンＺ２ではないと判断した場合に、終了ゾーンの記録方向が外周側から内周側に向かう方向であるか否かを判断し、ディスクｄに記録データが記録されていないと判断した場合に、新たなデータの記録を開始する論理ゾーンＺ２である記録開始ゾーンを最外周の論理ゾーンＺ２と判断し、終了ゾーンが最外周の論理ゾーンＺ２であると判断した場合、及び、終了ゾーンの記録方向が外周側から内周側に向かう方向であると判断した場合に、記録開始ゾーンを終了ゾーンの１つ内周側の論理ゾーンＺ２と判断し、終了ゾーンの記録方向が内周側から外周側に向かう方向であると判断した場合に、記録開始ゾーンを終了ゾーンの１つ外周側の論理ゾーンＺ２と判断し、磁気ヘッド１，ヘッド駆動部２，エンコーダ３を制御して、当該記録開始ゾーンからデータの記録を開始させる機能を実現させるプログラムである。
【００３６】
記録制御プログラム１４Ｄは、例えば、ＣＰＵ１２に、磁気ヘッド１，ヘッド駆動部２，エンコーダ３を制御して、一の論理ゾーンＺ２内の一の論理セグメントＳのデータ格納領域へのデータの記憶が終了した場合に、ディスクｄの径方向に隣り合う他の一の論理ゾーンＺ２内であって一の論理セグメントと隣り合う他の一の論理セグメントＳのデータ格納領域にデータを記憶させるとともに、ディスクｄに当該データのアドレスを記録させる機能を実現させるプログラムである。
より具体的には、記録制御プログラム１４Ｄは、例えば、ＣＰＵ１２に、磁気ヘッド１，ヘッド駆動部２，エンコーダ３により記録が行われている論理ゾーンＺ２である第１記録ゾーンがディスクｄの最外周の論理ゾーンＺ２か否かを判断し、第１記録ゾーンがディスクｄの最外周の論理ゾーンＺ２ではないと判断した場合に、第１記録ゾーンの記録方向は、外周側から内周側に向かう方向であるか否かを判断し、第１記録ゾーンが最外周の論理ゾーンＺ２であると判断した場合、及び、第１記録ゾーンの記録方向が外周側から内周側に向かう方向であると判断した場合に、次にデータが記録される論理ゾーンＺ２である第２記録ゾーンを第１記録ゾーンより１つ内周側の論理ゾーンＺ２と判断し、第１記録ゾーンの記録方向が内周側から外周側に向かう方向であると判断した場合に、第２記録ゾーンを第１記録ゾーンの１つ外周側の論理ゾーンＺ２と判断し、磁気ヘッド１，ヘッド駆動部２，エンコーダ３を制御して、第１記録ゾーン内の一の論理セグメントＳにデータを記録した後、第２記録ゾーン内の一の論理セグメントＳにデータを記録させるように制御する機能を実現させるプログラムである。
例えば、図５（ｂ）に示すように、各論理セグメントＳをセグメント番号で表す場合、記録制御プログラム１４Ｄは、例えば、ＣＰＵ１２に、磁気ヘッド１，ヘッド駆動部２，エンコーダ３を制御して、１Ａ→１Ｂ→１Ｃ→１Ｄ→１Ｅ→２Ｄ→２Ｃ→２Ｂ→２Ａ→３Ｂ→３Ｃ→３Ｄ→２Ｅ→４Ｄ→４Ｃ→４Ｂ→３Ａ→５Ｂ→・・・の順に各論理セグメントＳにデータを記録させるように制御する。この場合、当該データのアドレスは、例えば、各論理セグメントＳのセグメント番号で表され、１Ａ→１Ｂ→１Ｃ→１Ｄ→１Ｅ→２Ｄ→２Ｃ→２Ｂ→２Ａ→３Ｂ→３Ｃ→３Ｄ→２Ｅ→４Ｄ→４Ｃ→４Ｂ→３Ａ→５Ｂ→・・・となる。
ＣＰＵ１２は、かかる記録制御プログラム１４Ｄを実行することにより、記録制御手段として機能する。
【００３７】
再生制御プログラム１４Ｅは、例えば、ＣＰＵ１２に、操作部１０から入力される操作信号に従って、磁気ヘッド１，ヘッド駆動部２，サーボ回路６，モータ５等を制御して、ディスクｄからデータのアドレスを読み出させ、当該アドレスに従って、データを読み出させ、信号増幅部４，信号処理部７，トラックバッファ８，システムデコーダ９等を制御して、当該データから映像データ及び音声データ等を生成させ、生成した映像データ及び音声データ等を所定のＡＶアンプ（図示省略）等に出力させる機能を実現させるプログラムである。
【００３８】
次に、上述のような構成の本発明に係るディスク記録装置１００における記録開始制御動作の一例について、図６に示すフローチャートを参照しながら説明する。
まず、ＣＰＵ１２は、記録開始制御プログラム１４Ｃを実行することにより、ディスクｄに記録データが記録されているか否かを判断する（ステップＳ１）。
【００３９】
ステップＳ１において、ＣＰＵ１２が、ディスクｄに記録データが記録されていないと判断した場合には（ステップＳ１；Ｎｏ）、ＣＰＵ１２は、記録開始制御プログラム１４Ｃの実行に基づいて、記録開始ゾーンをディスクｄの最外周の論理ゾーンＺ２と判断し、磁気ヘッド１，ヘッド駆動部２，エンコーダ３を制御して、当該記録開始ゾーンからデータの記録を開始させ（ステップＳ２）、本処理を終了する。
【００４０】
ステップＳ１において、ＣＰＵ１２が、ディスクｄに記録データが記録されていると判断した場合には（ステップＳ１；Ｙｅｓ）、ＣＰＵ１２は、当該記録データが終了する論理ゾーンＺ２である終了ゾーンが最外周の論理ゾーンＺ２か否かを判断する（ステップＳ３）。
【００４１】
ステップＳ３において、ＣＰＵ１２が、当該終了ゾーンが最外周の論理ゾーンＺ２であると判断した場合には（ステップＳ３；Ｎｏ）、ステップＳ５に進む。
ステップＳ３において、ＣＰＵ１２が、当該終了ゾーンが最外周の論理ゾーンＺ２ではないと判断した場合には（ステップＳ３；Ｎｏ）、ＣＰＵ１２は、終了ゾーンの記録方向が外周側から内周側に向かう方向であるか否かを判断する（ステップＳ４）。
【００４２】
ステップＳ４において、ＣＰＵ１２が、終了ゾーンの記録方向が外周側から内周側に向かう方向であると判断した場合には（ステップＳ４；Ｙｅｓ）、ＣＰＵ１２は、記録開始ゾーンを終了ゾーンの１つ内周側の論理ゾーンＺ２と判断し、磁気ヘッド１，ヘッド駆動部２，エンコーダ３を制御して、当該記録開始ゾーンからデータの記録を開始させ（ステップＳ５）、本処理を終了する。
ステップＳ４において、ＣＰＵ１２が、終了ゾーンの記録方向が内周側から外周側に向かう方向であると判断した場合には（ステップＳ４；Ｎｏ）、ＣＰＵ１２は、記録開始ゾーンを終了ゾーンの１つ外周側の論理ゾーンＺ２と判断し、磁気ヘッド１，ヘッド駆動部２，エンコーダ３を制御して、当該記録開始ゾーンからデータの記録を開始させ（ステップＳ６）、本処理を終了する。
【００４３】
次に、本発明に係るディスク記録装置１００における記録制御動作の一例について、図７に示すフローチャートを参照しながら説明する。
まず、ＣＰＵ１２は、記録制御プログラム１４Ｄを実行することにより、磁気ヘッド１，ヘッド駆動部２，エンコーダ３により記録が行われている論理ゾーンＺ２である第１記録ゾーンがディスクｄの最外周の論理ゾーンＺ２か否かを判断する（ステップＳ１０１）。
【００４４】
ステップＳ１０１において、ＣＰＵ１２が、第１記録ゾーンがディスクｄの最外周の論理ゾーンＺ２であると判断した場合には（ステップＳ１０１；Ｙｅｓ）、ステップＳ１０３に進む。
ステップＳ１０１において、ＣＰＵ１２が、第１記録ゾーンがディスクｄの最外周の論理ゾーンＺ２ではないと判断した場合には（ステップＳ１０１；Ｎｏ）、ＣＰＵ１２は、第１記録ゾーンの記録方向は、外周側から内周側に向かう方向であるか否かを判断する（ステップＳ１０２）。
【００４５】
ステップＳ１０２において、ＣＰＵ１２が、第１記録ゾーンの記録方向が外周側から内周側に向かう方向であると判断した場合には（ステップＳ１０２；Ｙｅｓ）、ＣＰＵ１２は、次にデータが記録される論理ゾーンＺ２である第２記録ゾーンを第１記録ゾーンより１つ内周側の論理ゾーンＺ２と判断し、磁気ヘッド１，ヘッド駆動部２，エンコーダ３を制御して、第１記録ゾーン内の一の論理セグメントＳにデータを記録した後、第２記録ゾーン内の一の論理セグメントＳにデータを記録させるように制御する（ステップＳ１０３）。
ステップＳ１０２において、ＣＰＵ１２が、第１記録ゾーンの記録方向が内周側から外周側に向かう方向であると判断した場合には（ステップＳ１０２；Ｎｏ）、ＣＰＵ１２は、第２記録ゾーンを第１記録ゾーンの１つ外周側の論理ゾーンＺ２と判断し、磁気ヘッド１，ヘッド駆動部２，エンコーダ３を制御して、第１記録ゾーン内の一の論理セグメントＳにデータを記録した後、第２記録ゾーン内の一の論理セグメントＳにデータを記録させるように制御する（ステップＳ１０４）。
【００４６】
以上に説明した本発明に係るディスク記録装置１００及びプログラムによれば、ＣＰＵ１２が論理フォーマットプログラム１４Ｂを実行することにより、物理フォーマット処理により形成された物理ゾーンＺ１に対応して複数の論理ゾーンＺ２を形成するとともに、各論理ゾーンＺ２を複数分割して論理セグメントＳを形成することにより論理フォーマット処理が行われ、磁気ヘッド１，ヘッド駆動部２，エンコーダ３により、論理フォーマット処理されたディスクｄにデータが記録され、ＣＰＵ１２が記録制御プログラム１４Ｄを実行することにより、磁気ヘッド１，ヘッド駆動部２，エンコーダ３が制御されて、一の論理ゾーンＺ２内の一の論理セグメントＳのデータ格納領域へのデータの記憶が終了した場合に、ディスクｄの径方向に隣り合う他の一の論理ゾーンＺ２内であって一の論理セグメントＳと隣り合う他の一の論理セグメントＳのデータ格納領域にデータが記憶されるので、データがディスクｄの径方向に１論理ゾーンＺ２当たり１論理セグメントＳずつ記憶されることとなって、データを当該ディスクｄの外周側から内周側に亘ってより十分に分散させることができることとなって、当該ディスクｄに記録されたデータのアクセス時間をより確実に均一とすることができる。
また、データがディスクｄの径方向に連続して記憶されるので、磁気ヘッド１は当該径方向に連続して移動すれば当該データにアクセスすることができ、データへのアクセスにおける時間連続性が損なわれることがない。
【００４７】
また、ＣＰＵ１２が記録開始制御プログラム１４Ｃを実行することにより、ディスクｄに記録されている記録データが終了する論理ゾーンＺ２である終了ゾーンが最外周の論理ゾーンＺ２か否かが判断され、終了ゾーンが最外周の論理ゾーンＺ２ではないと判断された場合に、終了ゾーンの記録方向が外周側から内周側に向かう方向であるか否かが判断され、終了ゾーンが最外周の論理ゾーンＺ２であると判断された場合、及び、終了ゾーンの記録方向が外周側から内周側に向かう方向であると判断された場合に、記録開始ゾーンＺ２が終了ゾーンの１つ内周側の論理ゾーンＺ２と判断され、終了ゾーンの記録方向が内周側から外周側に向かう方向であると判断された場合に、記録開始ゾーンが終了ゾーンの１つ外周側の論理ゾーンＺ２と判断され、磁気ヘッド１，ヘッド駆動部２，エンコーダ３が制御されて、記録開始ゾーンからデータの記録が開始されるので、ディスクｄに既にデータが記録されている場合であっても、当該記録データの終了ゾーンに続く次の論理ゾーンＺ２から新しいデータの記録が行われることとなって、より効率的にディスクｄのデータ記憶領域を使用することができる。
【００４８】
また、ＣＰＵ１２が論理フォーマットプログラム１４Ｂを実行することにより、ディスクｄの最外周の論理ゾーンＺ２内の論理セグメント数及び最内周の論理ゾーンＺ２内の論理セグメント数が、最外周の論理ゾーンＺ２より内周側の論理ゾーンＺ２内の論理セグメント数及び最内周の論理ゾーンＺ２より外周側の論理ゾーンＺ２内の論理セグメント数の半数となるように、論理フォーマット処理が行われるので、ディスクｄの最内周側の論理ゾーンＺ２内又は最外周側の論理ゾーンＺ２内の一の論理セグメントＳにデータが記憶された後に、当該最内周側の論理ゾーンＺ２の１つ外周側の論理ゾーンＺ２内又は当該最外周側の論理ゾーンＺ２の１つ内周側の論理ゾーンＺ２内の一の論理セグメントＳにデータが記憶されるようにして、当該最内周側又は最外周側の論理ゾーンＺ２において記録方向が折り返されても、例えば、論理ゾーンＺ２内の論理セグメントの数を同一とした場合のように最内周側及び最外周側の論理ゾーンＺ２内においてデータが記憶されていない論理セグメントＳが残ってしまうことがなくなることとなって、より効率的にデータを記録することができる。
【００４９】
なお、本実施形態において、ディスクｄに記録データがない場合には、記録開始ゾーンを最外周側の論理ゾーンＺ２としたが、最内周側の論理ゾーンＺ２とされてもよい。
また、本実施形態において、ディスク記録装置１００に、上述のように、データをディスクｄの径方向に１論理ゾーンＺ２当たり１論理セグメントＳずつ記憶していく第１モードと、従来通り、ディスクｄの最外周側又は最内周側の論理ゾーンＺ２から記憶していく第２モードとを備え、ディスクｄに記憶するデータのデータ量が当該ディスクｄの記憶容量より十分少ない場合は、第２モードにより当該データを記憶させることとしてもよい。
ディスクの物理フォーマット処理は、予めディスク挿入前に、他の装置等で行ってもよい。
また、本実施形態では、磁気ディスクへの記録を例示して説明したが、本発明は、光ディスクや光磁気ディスクへの記録においても適用可能である。
また、本実施形態では、物理フォーマット及び論理フォーマットをディスク記録装置内のＣＰＵが行うこととしたが、これに限られるものではなく、ディスク記録装置に接続されるＰＣやＨＤＤレコーダ等の機器内のＣＰＵが行うように構成してもよい。
【図面の簡単な説明】
【００５０】
【図１】本発明に係るディスク記録装置の概略構成の一例を示す図である。
【図２】本発明に係るディスク記録装置の内部構成の一例を示すブロック図である。
【図３】本発明に係るディスクの物理ゾーンの一例を示す図である。
【図４】本発明に係るディスクの論理ゾーンの一例を示す図である。
【図５】本発明に係る論理ゾーン及び論理セグメントを説明する図（図５（ａ））、本発明に係る論理セグメントに振られるセグメント番号を説明する図（図５（ｂ））である。
【図６】本発明に係るディスク記録装置における記録開始制御動作の一例を説明するフローチャートである。
【図７】本発明に係るディスク記録装置における記録制御動作の一例を説明するフローチャートである。
【符号の説明】
【００５１】
１  磁気ヘッド（データ記録手段）
２  ヘッド駆動部（データ記録手段）
３  エンコーダ（データ記録手段）
１２  ＣＰＵ（論理フォーマット手段，記録制御手段）
１４Ｂ  論理フォーマットプログラム（論理フォーマット手段）
１４Ｄ  記録制御プログラム（記録制御手段）
１００  ディスク記録装置
ｄ  ディスク
Ｓ  論理セグメント
Ｚ１  物理ゾーン
Ｚ２  論理ゾーン
【図１】
2008090951.tif 000003
【図２】
2008090951.tif 000004
【図３】
2008090951.tif 000005
【図４】
2008090951.tif 000006
【図５】
2008090951.tif 000007
【図６】
2008090951.tif 000008
【図７】
2008090951.tif 000009